(57)【要約】【課題】  変形可能なコンピュータ用マウスに用いられている従来の技術では、持ち運ぶときは平らで、使用する時には曲がるようにするために、変形部に多数の可動部品を用いており、部品材料費や製造工数など原価を押し上げる要素が多いという課題があった。【解決手段】  変形可能なコンピュータ用マウスの変形部に、外力を加えないときに、Ｘ方向が直線で、Ｙ方向が曲線である状態と、Ｘ方向が曲線で、Ｙ方向が直線である状態との２状態を維持できる板ばねを変形部に用いる【選択図】図３
2013089219.tif 000002
【特許請求の範囲】
【請求項１】
Ｘ方向が直線で、Ｙ方向が曲線である状態と、Ｘ方向が曲線で、Ｙ方向が直線である状態との２状態を維持できる板ばねを変形部に用いる、変形可能なコンピュータ用マウス。
【発明の詳細な説明】
【技術分野】
【０００１】本発明は変形可能なコンピュータ用マウスに関するものである。
【背景技術】
【０００２】変形可能なコンピュータ用マウスとしては、２０１１年１０月５日現在日本国内にて、マイクロソフト株式会社より商品名「アーク  タッチ  マウス」が販売されている。【０００３】上記マウスに関する特許文献としては、図５に示す曲がった形状となるデザイン（特許文献１参照）、及び図６に示す平らな形状となるデザイン（特許文献２参照）が登録されている。【０００４】この形状変更可能なコンピュータ用マウスは、使用しない時は平らな形状としてかさばらないようにし、使用する場合は曲げて、図７に示した使用例のように、マウスが手のひらに密着して使いやすいような工夫がなされている。【０００５】また同マウスの内部が非特許文献１及び非特許文献２に示されており、その構造を図８、図９表わす。
【先行技術文献】
【特許文献】
【特許文献１】ＵＳ  Ｄ６４２，５７４
【特許文献２】ＵＳ  Ｄ６４２，５７５
【非特許文献】
【非特許文献１】Ｂｅｎｄ  ａｎｄ  Ｓｎａｐ：Ｍｅｃｈａｎｉｃｓ  ｏｆ  ｔｈｅ  Ａｒｃ  Ｔｏｕｃｈ  Ｍｏｕｓｅ（Ｄｅｃｅｍｂｅｒ  １，２０１０，  ｈｔｔｐ：／／ｗｗｗ．ｍｉｃｒｏｓｏｆｔｈａｒｄｗａｒｅｂｌｏｇ．ｃｏｍ／ｂｅｎｄ−ａｎｄ−ｓｎａｐ−ｍｅｃｈａｎｉｃｓ−ｏｆ−ｔｈｅ−ａｒｃ−ｔｏｕｃｈ−ｍｏｕｓｅ／）
【非特許文献２】Ｍｉｃｒｏｓｏｆｔ  Ａｒｃ  Ｔｏｕｃｈ  Ｍｏｕｓｅ  （ｈｔｔｐ：／／ｗｗｗ．ｃａｒｂｏｎｄｅｓｉｇｎ．ｃｏｍ／ｐｒｏｊｅｃｔｓ／ｍｉｃｒｏｓｏｆｔ−ａｒｃ−ｔｏｕｃｈ−ｍｏｕｓｅ）
【発明の概要】
【発明が解決しようとする課題】
【０００６】しかしながら従来から知られている技術には以下のような課題があった。【０００７】非特許文献１においては、変形可能なコンピュータ用マウスは図８に示したように電子部品収納部２０１と、変形部１０５で構成され、また変形部の主な構成部品は表面金属板１０６、表面金属板端面に装着された磁性体１０７、裏面金属板１０８及び裏面金属板に装着された磁石１０９及び表面金属板と裏面金属板の間の距離を保つためのスペーサー１１０の５点であることが示されている。【０００８】図８及び図９において表面金属板と裏面金属板はばね性を有する非磁性体であり、また図８の状態では磁性体と磁石の距離が離れているため、磁性体と磁石の間に働く吸引力が弱く、表面金属板と裏面金属板は自身の持つばね性により、平らな状態を保っている。【０００９】図８に示したＤ５方向から外力を加え、表面金属板と裏面金属板を同時に曲げると、磁性体と磁石の距離が縮まり、それに伴い磁性体と磁石の間の吸引力が増加する。【００１０】この吸引力が、表面金属板と裏面金属板のばね性により水平に戻ろうとする力よりも多くなれば、磁性体と磁石が密着するところで表面金属板と裏面金属板の曲がりが止まり、外力を取り除いても表面金属板と裏面金属板の曲がりはその状態を維持する。（図９参照）【００１１】図９に示したＤ６方向から外力を加えて、磁性体と磁石の距離がある程度離れるようにすると、磁性体と磁石の間の吸引力よりも、表面金属板と裏面金属板のばね性により水平に戻ろうとする力が打ち勝ち、図８の平らな状態に戻すことができる。【００１２】図８、図９に示した部品は主要部品であるが、製品を実現するために、図１０に示したように、表面金属板と裏面金属板が分離しないようにするため、ねじれないようにするため、正しくない方向に曲がらないようにするため、微小な力で変形しないようにするために、合計９３個の可動部品を用いていた。（非特許文献２参照）【００１３】このように変形可能なコンピュータ用マウスに用いられている従来の技術では、持ち運ぶときは平らで、使用する時には曲がるようにするために、変形部に多数の可動部品を用いており、部品材料費や製造工数など原価を押し上げる要素が多いという課題があった。
【課題を解決するための手段】
【００１４】変形可能なコンピュータ用マウスに用いられている従来技術の問題点を解決し、持ち運ぶときは平らで、使用する時には曲がるようにするために、本発明では外力を加えないときに、Ｘ方向が直線で、Ｙ方向が曲線である状態と、Ｘ方向が曲線で、Ｙ方向が直線である状態との２状態を維持できる板ばね（以下２状態保持可能板ばねと略す）を変形部に用いることを特徴とする。
【発明の効果】
【００１５】本発明に拠れば、２状態保持可能板ばねを変形部に用いるために、変形部を構成する部品としては前記板ばね以外に、板ばねの端面に装着する筐体接合部材および数点の留めねじのみという、従来方式に比べ極めて少ない部品点数で構成でき、部品材料費や製造工数など原価を大幅に低減できる効果がある。
【発明を実施するための形態】
【００１６】以下本発明の実施形態を、図面を用いて詳細に説明する。
【００１７】図１及び図２は本発明に用いる、２状態保持可能板ばねの例で、２０１１年１０月５日現在日本国内にて、サンコースプリング株式会社より販売されている商品名「コンベックス  コンストン」であり、２状態保持可能板ばね１０１の一部が固定板１０２に留めねじ１０３で固定された様子を表わしている。
【００１８】固定板１０２は２状態保持可能板ばね１０１の動作を説明するためのもので、本発明の要素ではない。
【００１９】図１は、２状態保持可能板ばねのＸ方向が直線で、Ｙ方向が曲線である状態を表わしており、外力を加えなければこの状態を維持し続けるが、図示したＤ１方向から一定以上の外力が加わると直ちに図２の状態となる。
【００２０】図２は、２状態保持可能板ばねのＸ方向が曲線で、Ｙ方向が直線である状態を表わしており、外力を加えなければこの状態を維持し続けるが、Ｄ２方向から一定以上の外力が加わると直ちに図１の状態となる。
【００２１】このように、２状態保持可能板ばねは、Ｘ方向が直線で、Ｙ方向が曲線である状態と、Ｘ方向が曲線で、Ｙ方向が直線である状態の二つの状態を保つことができ、外力を加えることで、この一つの状態から別の状態に変えることができる。
【００２２】本発明は、前記２状態保持可能板ばねを変形可能なコンピュータ用マウスの変形部に応用して、変形部の構成部品点数を減らすものである。
【実施例】
【００２３】図３は本発明の実施例である。【００２４】図３において、電子部品収納部２０１から延長された板ばね取り付け部２０２に２状態保持可能板ばね１０１の一端が２本の留めねじ１０３で留められ、同板ばねのもう一方の端面に筐体接合部材１０４が２本の留めねじで留められている。【００２５】板ばね取り付け部と板ばねの間を２本の留めねじで留めてあるのは、板ばねが板ばね取り付け部に対して回転せず、強固に両者を密着させるためであり、板ばねと筐体接合部材の間の２本の留めねじも同様の役割を果たしている。【００２６】また２状態保持可能板ばね及び筐体接合部材を、ゴム状の柔軟な材質の筐体３０１で覆い、手のひらの接触感触を改善している。【００２７】ここで、図３のＤ３方向から外力を加えると、図４に示すような形状になり、同図に示したＤ４方向から外力を加えると、図３の形状に戻る。【００２８】このように２状態保持可能板ばねを変形部に用いることで、形状変更可能なコンピュータ用マウスが、従来方式に比べ極めて少ない部品点数で構成でき、部品材料費や製造工数など原価を大幅に低減できる効果がある。
【図面の簡単な説明】
【００２９】
【図１】  ２状態保持可能板ばねのＸ方向が直線で、Ｙ方向が曲線である状態
【図２】  ２状態保持可能板ばねのＸ方向が曲線で、Ｙ方向が直線である状態
【図３】  平らな状態にある実施形態の外形断面図
【図４】  曲げた状態にある実施形態の外形断面図
【図５】  曲がった形状となるデザイン（特許文献１の記載図）
【図６】  平らな形状となるデザイン（特許文献２の記載図）
【図７】  形状変更可能なコンピュータ用マウスの使用例
【図８】  非特許文献１に示された変形するマウスの内部構造図（平らな状態）
【図９】  非特許文献１に示された変形するマウスの内部構造図（曲げた状態）
【図１０】  非特許文献２に示された変形するマウスの内部説明図
【符号の説明】
【００３０】１０１・・・２状態保持可能板ばね
１０２・・・固定板
１０３・・・留めねじ
１０４・・・筐体接合部材
１０５・・・変形部
１０６・・・表面金属板
１０７・・・磁性体
１０８・・・裏面金属板
１０９・・・磁石
１１０・・・スペーサー
２０１・・・電子部品収納部
２０２・・・板ばね取り付け部
３０１・・・筐体
【図１】
2013089219.tif 000003
【図２】
2013089219.tif 000004
【図３】
2013089219.tif 000005
【図４】
2013089219.tif 000006
【図５】
2013089219.tif 000007
【図６】
2013089219.tif 000008
【図７】
2013089219.tif 000009
【図８】
2013089219.tif 000010
【図９】
2013089219.tif 000011
【図１０】
2013089219.tif 000012